(57)【要約】【課題】所定の場所に固定され、被撮影者を撮影するとともに、その撮影時の音声も記録することができる撮影装置、通信端末、サーバ、撮影方法及び通信方法を提供する。【解決手段】所定の撮影エリアＡを撮影可能な撮影装置１０であって、撮影エリアＡに被撮影者Ｐが存在するときに、被撮影者Ｐを撮影するための撮影信号を受信する通信手段と、撮影信号に含まれている位置情報に応じて撮影エリアＡにいる被撮影者Ｐを特定し、撮影を実行する撮影部１３と、撮影部１３の撮影に基いて撮影データを生成する撮影データ生成手段１４と、被撮影者側から音声を取得し、音声データを生成する音声データ生成手段１５と、撮影データ及び音声データを関連付けて記録するように指示する記録制御手段１６を備える。【選択図】図１
2010135983.tif 000002
【特許請求の範囲】
【請求項１】
所定の撮影エリアを撮影可能な撮影装置であって、
前記撮影エリアに被撮影者が存在するときに、前記被撮影者を撮影するための撮影信号を受信する通信手段と、
前記撮影信号に含まれる位置情報に応じて前記撮影エリアにいる前記被撮影者を特定し、撮影を実行する撮影部と、
前記撮影部の撮影に基いて撮影データを生成する撮影データ生成手段と、
前記被撮影者側から音声を取得し、音声データを生成する音声データ生成手段と、
前記撮影データと前記音声データとを関連付けて記録するように指示する記録制御手段と、を備えた撮影装置。
【請求項２】
請求項１に記載の撮影装置であって、
撮影を実行する前に、前記被撮影者側に撮影内容に関する撮影情報を送信する撮影案内手段を備えた撮影装置。
【請求項３】
請求項１又は２に記載の撮影装置であって、
前記通信手段が、前記撮影信号の送信側に前記撮影データと前記音声データを送信する撮影装置。
【請求項４】
請求項１から３のいずれか１つに記載の撮影装置であって、
前記通信手段が、前記撮影データの少なくとも一部を前記被撮影者側に送信する撮影装置。
【請求項５】
請求項１から４のいずれか１つに記載の撮影装置であって、
前記通信手段が、前記撮影信号を受信した後、前記被撮影者が前記撮影エリアで停止している場合に、更新された撮影信号を受信し、前記撮影部によって静止画の撮影を実行する撮影装置。
【請求項６】
請求項１から５のいずれか１つに記載の撮影装置であって、
前記被撮影者側から取得した音声に基いて指示内容を認識する音声認識部を備え、認識した前記指示内容に基いて撮影を実行する撮影装置。
【請求項７】
請求項１から６のいずれか１つに記載の撮影装置であって、
撮影の範囲を変更するために画角を調整する画角調整部を備えている撮影装置。
【請求項８】
請求項７に記載の撮影装置であって、
前記撮影信号に、前記撮影エリアに複数の被撮影者が存在する情報が含まれている場合に、前記画角調整部が画角を調整する撮影装置。
【請求項９】
請求項１から８のいずれか１つに記載の撮影装置であって、
予め登録された前記被撮影者の登録情報を読み込み、前記登録情報と前記撮影部によって取得した画像とを比較し、前記被撮影者の画像を認識する画像認識手段を備える撮影装置。
【請求項１０】
請求項９に記載の撮影装置であって、
前記画像認識手段が人物の顔画像を認識可能であって、複数の前記顔画像を認識したときに前記顔画像同士の距離が閾値以下まで接近した場合に、撮影を実行する撮影装置。
【請求項１１】
請求項１から１０のいずれか１つに記載の撮影装置であって、
前記撮影エリアを撮影可能な他の撮影装置と協働して撮影を行なう撮影装置。
【請求項１２】
請求項１から１０のいずれか１つに記載の撮影装置であって、
前記記録制御手段が、前記被撮影者に所持される通信端末から前記位置情報を取得するとともに、該位置情報を取得するのと同期して該通信端末から前記音声データを取得するように制御する撮影装置。
【請求項１３】
請求項１から１０のいずれか１つに記載の撮影装置であって、
前記位置情報及び前記音声データが前記被撮影者に所持されている携帯電話から入力された情報である撮影装置。
【請求項１４】
請求項１から１３のいずれか１つに記載の撮像装置であって、
撮影に好ましい位置を示す撮影推奨位置を視覚的に表示する表示部の制御を行なう表示制御部を備えている撮像装置。
【請求項１５】
請求項１４に記載の撮像装置であって、
前記撮影推奨位置が、人の足跡を模した表示又は矢印であって、撮像装置のある方向を向いている撮像装置。
【請求項１６】
請求項１から１５のいずれか１つに記載の撮影装置と通信接続可能な通信端末であって、
前記位置情報を、前記撮影装置と通信接続可能なサーバに送信する通信手段と、
前記撮影装置による撮影時に周囲の音声を取得する音声取得手段と、
前記音声を前記撮影装置に送信する通信端末。
【請求項１７】
請求項１６に記載の通信端末であって、
前記撮影装置から受信した前記撮影データの少なくとも一部を表示する表示部を備える通信端末。
【請求項１８】
請求項１６又は１７に記載の通信端末であって、
前記撮影装置からの指示に応じて、被撮影者に音で撮影の通知を行なうアナウンス部を備える通信端末。
【請求項１９】
上記請求項１から１５のいずれか１つに記載の撮影装置と通信接続可能なサーバであって、
前記撮影エリアに前記被撮影者が存在する場合に、前記被撮影者側から受信した位置情報に基いて、前記被撮影者が存在する撮影エリアを特定する位置情報処理手段と、
前記被撮影者が存在する前記撮影エリアを撮影可能な前記撮影装置に撮影信号を送信する通信部と、
前記撮影装置から送信される前記撮影データ及び前記音声データを関連付けて記録可能なデータ記録手段と、を備えるサーバ。
【請求項２０】
所定の撮影エリアを撮影可能な撮影装置によって撮影を行う撮影方法であって、
前記撮影エリアに被撮影者が存在するときに、前記被撮影者を撮影するための撮影信号を受信するステップと、
前記撮影信号に含まれる位置情報に応じて前記撮影エリアにいる前記被撮影者を特定し、撮影を実行するステップと、
前記撮影部の撮影に基いて撮影データを生成するステップと、
前記被撮影者側から音声を取得し、音声データを生成するステップ、
前記撮影データと前記音声データとを関連付けて記録するように指示するステップと、を備えた撮影方法。
【請求項２１】
上記請求項１から１５のいずれか１つに記載の撮影装置と通信接続を行なう通信方法であって、
前記撮影エリアに前記被撮影者が存在する場合に、前記被撮影者側から受信した位置情報に基いて、前記被撮影者が存在する撮影エリアを特定するステップと、
前記被撮影者が存在する前記撮影エリアを撮影可能な前記撮影装置に撮影信号を送信するステップと、
前記撮影装置から送信される前記撮影データ及び前記音声データを関連付けて記録するステップと、を有する通信方法。
【発明の詳細な説明】
【技術分野】
【０００１】
本発明は、撮影装置、通信端末、サーバ、撮影方法及び通信方法に関する。
【背景技術】
【０００２】
現在、特定の場所や設備に設置され、その周囲の撮影を行なう定点式の撮影装置がある。このような撮影装置としては、例えば、テーマパーク内のアトラクション施設に設置され、来客者に撮影画像を提供するサービスに用いられる定点カメラがある。また、警備・防犯を目的として商業施設や住居施設等に設置された定点カメラがある。
定点カメラとしては、例えば、下記特許文献に示すものがある。
【０００３】
特許文献１には、予め定めた撮影エリアを複数のカメラにより撮影する撮影システムとその方法が記載されている。
【０００４】
特許文献２には、無線タグを所持した被写体が撮影ポイントを通過するときに撮影を行い、無線タグから受信したユーザ特定情報と撮影画像とを記録することが記載されている。
【０００５】
特許文献３には、撮影指示者が操作する携帯端末機器からの撮影要求信号を受けて撮影する移動ロボットが記載されている。
【０００６】
【特許文献１】特開２００７−２８１３０号公報
【特許文献２】特開２００５−７３０９４号公報
【特許文献３】特開２００５−６５０２０号公報
【発明の開示】
【発明が解決しようとする課題】
【０００７】
しかし、従来の定点式の撮影装置では、静止画や動画を記録することができるものの、被撮影者の音声を記録することができなかった。
【０００８】
本発明は、所定の場所に固定され、被撮影者を撮影するとともに、その撮影時の音声も記録することができる撮影装置、通信端末、サーバ、撮影方法及び通信方法を提供することにある。
【課題を解決するための手段】
【０００９】
本発明は、所定の撮影エリアを撮影可能な撮影装置であって、
前記撮影エリアに被撮影者が存在するときに、前記被撮影者を撮影するための撮影信号を受信する通信手段と、
前記撮影信号に含まれる位置情報に応じて前記撮影エリアにいる前記被撮影者を特定し、撮影を実行する撮影部と、
前記撮影部の撮影に基いて撮影データを生成する撮影データ生成手段と、
前記被撮影者側から音声を取得し、音声データを生成する音声データ生成手段と、
前記撮影データと前記音声データとを関連付けて記録するように指示する記録制御手段と、を備えた撮影装置である。
【００１０】
また、本発明は、上記撮影装置と通信接続可能な通信端末であって、
前記位置情報を、前記撮影装置と通信接続可能なサーバに送信する通信手段と、
前記撮影装置による撮影時に周囲の音声を取得する音声取得手段と、
前記音声を前記撮影装置に送信する通信端末である。
【００１１】
さらに、本発明は、上記撮影装置と通信接続可能なサーバであって、
前記撮影エリアに前記被撮影者が存在する場合に、前記被撮影者側から受信した位置情報に基いて、前記被撮影者が存在する撮影エリアを特定する位置情報処理手段と、
前記被撮影者が存在する前記撮影エリアを撮影可能な前記撮影装置に撮影信号を送信する通信部と、
前記撮影装置から送信される前記撮影データ及び前記音声データを関連付けて記録可能なデータ記録手段と、を備えるサーバである。
【００１２】
本発明は、所定の撮影エリアを撮影可能な撮影装置によって撮影を行う撮影方法であって、
前記撮影エリアに被撮影者が存在するときに、前記被撮影者を撮影するための撮影信号を受信するステップと、
前記撮影信号に含まれる位置情報に応じて前記撮影エリアにいる前記被撮影者を特定し、撮影を実行するステップと、
前記撮影部の撮影に基いて撮影データを生成するステップと、
前記被撮影者側から音声を取得し、音声データを生成するステップ、
前記撮影データと前記音声データとを関連付けて記録するように指示するステップと、を備えた撮影方法である。
【００１３】
本発明は、上記記載の撮影装置と通信接続を行なう通信方法であって、
前記撮影エリアに前記被撮影者が存在する場合に、前記被撮影者側から受信した位置情報に基いて、前記被撮影者が存在する撮影エリアを特定するステップと、
前記被撮影者が存在する前記撮影エリアを撮影可能な前記撮影装置に撮影信号を送信するステップと、
前記撮影装置から送信される前記撮影データ及び前記音声データを関連付けて記録するステップと、を有する通信方法である。
【発明の効果】
【００１４】
本発明によれば、所定の場所に固定され、被撮影者を撮影するとともに、その撮影時の音声も記録することができる撮影装置、通信端末及びサーバを提供できる。
【発明を実施するための最良の形態】
【００１５】
図１は、本発明の一実施形態を説明するための撮影システムの概念図である。撮影システムは、サーバ１と、該サーバ１と通信接続可能であって、予め定められた撮影エリアＡ内を撮影可能な撮影装置１０と、サーバ１と通信接続可能な通信端末１００とを含む。
【００１６】
通信端末１００は、撮影の対象として設定されている被撮影者Ｐに携帯される。また、通信端末１００は、衛星からの電波を受信して該衛星との距離を算出し、算出された距離に基いて現在の位置を測位し、位置情報を生成するＧＰＳ（Global Positioning System）機能を有している。位置情報は、被撮影者Ｐの移動に伴って、常時又は断続的に更新される。
【００１７】
ここでいう被撮影者Ｐとは、一例として、この撮影システムを使用した撮影サービスの提供者と契約し、該撮影サービスの提供を申し込み、撮影の事前に登録されたもののことで、撮影システムを用いた撮影の対象となっているものをいう。通信端末１００は、例えば、登録された被撮影者が、撮影の事前に、撮影サービスの提供者又はその他のものから供与又は貸与されたものである。
【００１８】
撮影装置１０は、例えば、所定の場所に固定された定点式のカメラである。撮影装置１０は、撮影エリアＡに被撮影者Ｐが存在する場合に、サーバ１からの撮影信号に応じて撮影を実行する。また、撮影装置１０は、撮影によって撮影データを生成するだけでなく、撮影時に、通信端末１００を介して音声を取得することができる。撮影装置１０は、取得した音声を基に音声データを生成し、撮影データとともに記録する。撮影装置１０は、遠隔的に操作可能であってもよい。
【００１９】
サーバ１は、該サーバ１に通信接続される撮影装置１０の識別情報と該撮影装置１０の撮影エリアＡが予め情報として記録している。サーバ１は、被撮影者Ｐに所持された通信端末１００から位置情報を受信し、該通信端末１００が撮影エリアＡに位置する場合に、該撮影エリアＡを撮影可能な撮影装置１０に撮影信号を送信する。また、サーバ１は、撮影装置１０によって撮影が実行された後、撮影装置１０から撮影データと音声データとを取得し、記録する。
【００２０】
通信端末１００として、携帯電話を用いることができる。このとき、携帯電話に内蔵されたＧＰＳ機能によって位置情報が入力され、該位置情報が撮影装置１０に送信される。また、携帯電話に備えられたマイクなどの音声取得部によって音声データが入力され、該音声データが撮影装置１０に送信される。
【００２１】
サーバ１には、撮影の事前に、被撮影者Ｐの登録情報が記録されていてもよい。登録情報としては、例えば、ＩＤ（identification）などの登録者識別情報や被撮影者自身の画像がある。
【００２２】
図２は、サーバに複数の撮影装置が通信接続された状態を示す概略図である。サーバ１には、複数の撮影装置１０が通信接続可能である。通信端末１００とサーバ１とが通信可能な領域には、複数の撮影装置１０が設置できる。複数の撮影装置１０はそれぞれ、撮影エリアＡ１〜Ａ４を撮影可能である。サーバ１は、通信端末１００から受信した位置情報に基いて、時間経過とともに移動する被撮影者Ｐが撮影エリアＡ１〜Ａ４のいずれかに存在すると判断した時点で、被撮影者Ｐの位置に対応する撮影装置１０に撮影信号を送信し、撮影を実行させるように制御する。
【００２３】
図３は、撮影システムの構成の一例を示すブロック図である。また、図４は、通信端末の一例を示す外観図である。
通信端末１００は、筐体１１０の内部に、撮影装置１０及びサーバ１のそれぞれと通信接続するための通信部１０２と、衛星からの電波を受信するＧＰＳ受信部１０３と、撮影時に通信端末１００の周囲から音声を取得するマイク等の音声取得部１０４と、を備えている。また、筐体１１０の表面には、視覚的に情報を表示可能なフラットパネルディスプレイ等の表示部１０５と、スピーカ等のアナウンス部１０６と、被撮影者が操作するための操作部１０７と、を備えている。通信端末１００には、衛星からの電波や通信電波を受信するためアンテナ部１１１が設けられていてもよい。アンテナ部１１１は、筐体１１０の内部でＧＰＳ受信部１０３や通信部１０２と配線接続されている。
【００２４】
撮影装置１０は、撮影レンズや該撮影レンズの焦点位置を制御するレンズ駆動部などの光学系と、撮影レンズを通過した光を撮影素子等で受光して、画像を形成する撮影素子等の撮影系とを含む撮影部１３を有する。また、撮影装置１０は、撮影部１３で生成された画像信号に基いて撮影データを生成する撮影データ生成部１４と、通信端末１００から受信した音声に基いて音声データを生成する音声データ生成部１５と、を備えている。撮影装置１０は、通信端末１００及びサーバ１のそれぞれと通信接続するための通信部１２を備えている。通信部１２は、サーバ１から撮影信号を受信する撮影信号受信手段として機能する。さらに、撮影装置１０は、撮影データと音声データとを互いに関連付けて記録するように指示する記録制御部を備えている。
【００２５】
撮影データとしては、例えば、静止画や動画である。また、静止画としては、複数の画像からなる立体的な（３Ｄ）画像であってもよい。
【００２６】
サーバ１は、通信端末１００及び撮影装置１０のそれぞれと通信接続するための通信部２を備えている。また、サーバ１は、通信端末１００から通信部２を介して受信した位置情報に基き、通信端末１００を携帯する被撮影者Ｐの位置を特定し、被撮影者Ｐが存在する撮影エリアに対応する撮影装置１０を選択する位置情報処理部３を備えている。サーバ１は、通信部２を介して撮影装置１０から受信した撮影データ及び音声データを互いに関連付けて記録するデータ記録部５を備えている。サーバ１は、位置情報処理部３、データ記録部５、通信部２を制御可能な制御部４を備えている。制御部４は、通信部２を介して、撮影装置１０の撮影処理や通信端末１００内の処理を制御可能な構成としてもよい。
【００２７】
データ記録部５は、撮影装置１０で生成された撮影データ及び音声データを記録するデータ記録手段として機能する。このとき、撮影装置１０の記録制御部１６から撮影データ及び音声データを関連付けて記録するための指示信号及びその関連付けのための信号に従って、撮影データ及び音声データの記録が行われる。なお、撮影装置１０に、撮影データ及び音声データを記録する記録部が設けられていてもよい。この場合には、記録制御部１６から撮影データ及び音声データを関連付けて記録するための指示信号に従い、撮影装置１０に設けられたデータ記録部が記録を行う。
【００２８】
さらに、サーバ１は、データ記録部５に記録された映像データ及び音声データを、通信部２又は他の通信回線を介して他のサーバやネットワークに送信可能な構成であってもよい。
【００２９】
図５は、撮影システムを用いて撮影を行なう場合の、サーバと撮影装置との間の基本的な処理手順を説明するフロー図である。撮影システムの構成は、既に説明した構成を参照するものとする。なお、以下の説明では、被撮影者が予め登録された通信端末を所持しているものとする。
【００３０】
最初に、サーバ１は、被撮影者Ｐの通信端末１００から位置情報を取得する（ステップＳ１１）。ここで、位置情報は、通信端末１００がサーバ１に常時又は断続的に送信している。
【００３１】
サーバ１は、位置情報処理部３で位置情報に基づいて被撮影者Ｐの位置を特定する（ステップＳ１２）。そして、その特定された被撮影者Ｐの位置が、いずれかの撮影装置１０の撮影エリア内か否かを判別し、撮影エリア内に存在する場合には該撮影エリアに対応する撮影装置１０を選択し、選択された撮影装置１０に撮影実行の指示を含む撮影信号を送信する（ステップＳ１４）。ここで、撮影信号は、被撮影者Ｐの所持する通信端末１００を特定する情報とその位置を示す情報を含む。
【００３２】
次に、撮影装置１０は、サーバ１から受信した撮影信号に基いて、撮影エリアＡに存在する、通信端末１００を所持した被撮影者Ｐを特定し、該被撮影者Ｐの撮影を実行し、撮影データを生成する（ステップＳ１５）。ここで、撮影装置１０は、撮影を実行する前に、又はほぼ同時に、通信端末１００に撮影実行の通知や撮影状態の設定などの情報や撮影される画像等の情報を撮影内容に関する撮影情報として通信部１２を介して送信してもよい。
【００３３】
撮影装置１０は、撮影の実行と並行して、被撮影者Ｐの所持する通信端末１００から音声を取得し、この音声に基いて音声データを作成する（ステップＳ１６）。撮影装置１０は、撮影の開始前に、通信端末１０から音声の取得を開始することもできる。
【００３４】
その後、撮影装置１０は、サーバ１に撮影データ及び音声データを送信する（ステップＳ１７）。
【００３５】
サーバ１は、撮影装置１０から受信した撮影データ及び音声データをデータ記録部５に記録する（ステップＳ１８）。このとき、データ記録部５は、撮影装置１０の記録制御部１６の指示に従い、撮影データと音声データとは互いに関連付けて記録する。撮影データと音声データとを互いに関連付けて記録する処理については後述する。
【００３６】
図６は、撮影システムを用いて撮影を行なう場合の、撮影装置と通信端末との間の処理手順の他の例を説明するフロー図である。
【００３７】
撮影装置１０は、サーバ１から撮影信号を取得し（ステップＳ２１）、その後、通信端末１００に、撮影を実行する前に撮影情報を送信する（ステップＳ２２）。このとき、撮影情報には、被撮影者Ｐに撮影を実行することやその撮影のタイミング等を通知することなど、その他の撮影内容に関する情報を含んでいてもよい。また、撮影情報には、既に撮影装置１０によって撮影されている撮影データの少なくとも一部が含まれていてもよい。例えば、動画を撮影する場合に、該動画全部を通信端末１００に送信するのではなく、数秒ごとに更新された画像を撮影データとして通信端末１００へ送信してもよい。
【００３８】
通信端末１００は、撮影装置１０から送信された撮影情報を受信し、撮影情報の内容を表示部１０５に表示させ、また、アナウンス部１０６からその内容を音でアナウンスさせる（ステップＳ２３）。表示部１０５による表示及びアナウンス部１０６のアナウンスのうちいずれか一方のみを実行してもよい。
【００３９】
被撮影者Ｐは、通信端末１００の表示部１０５及びアナウンス部１０６によって撮影装置１０の撮影に関する撮影情報を知得することできる。そして、操作部１０７によって、撮影の実行指示を含む撮影指示信号を入力することができる。入力された撮影指示信号が撮影装置１０に送信される。また、このとき、通信端末１００の音声取得部１０４によって被撮影者Ｐの音声や該被撮影者Ｐ周囲の音が取得され、撮影装置に１０に送信される（ステップＳ２４）。
【００４０】
撮影装置１０は、通信端末１００からの撮影指示信号に基いて、撮影データ及び音声データを生成する（ステップＳ２５）。
【００４１】
撮影データ及び音声データは、互いに関連付けられて一時的に記録される（ステップＳ２６）。
【００４２】
撮影装置１０は、撮影データ及び音声データをサーバ１へ送信する（ステップＳ２７）。ここで、撮影データ及び音声データを一時的に記録せずに、サーバ１へ直ちに送信してもよい。
【００４３】
サーバ１は、撮影装置１０から受信した撮影データ及び音声データをデータ記録部５に記録する。なお、サーバ１は、撮影データ及び音声データをデータ記録部５に記録したことを、通信部２を介して被撮影者Ｐの通信端末１００へ通知してもよい。
【００４４】
図７（ａ）は、撮影データ及び音声データを示す模式図であり、図７（ｂ）は、そのデータ構造の一例を示している。
撮影データは、その撮影時に通信端末１００から取得した音声に基く音声データとともに、関連付けられて記録される。撮影データが動画の場合には、動画のデータに、該データに同期するように生成された音声データが組み合わされ、１つのデータとして記録される。撮影データが静止画の場合には、画像データに、所定時間（例えば、静止画を撮影した時点に対して前後の５秒間）だけ録音された音声に基く音声データが組み合わされ、１つのデータとして記録される。撮影データ及び音声データは、例えば、図７（ｂ）にようにデータテーブルで管理されて互いに関連付けられる。図７（ｂ）では、被撮影者Ｐ又は通信端末１００の識別番号を示す「ＩＤ」に対し、撮影時の撮影データを示す「ＩＭＡＧＥ／ＭＯＶＩＥ」と、音声データを示す「ＶＯＩＣＥ」と、更に、日付を示す「ＤＡＴＡ」と撮影を実行した撮影装置１０の識別番号を示す「ＣＡＭＥＲＡ」が、撮影ごとに一括で記録される。撮影データ及び音声データを関連付けたデータテーブルは、サーバ１のデータ記録部５に記録されている。また、撮影装置１０側に、その撮影装置１０が実行した撮影に関する撮影データ及び音声データのデータテーブルが記録されていてもよい。
【００４５】
図８は、撮影システムを用いて撮影を行なう場合の、サーバと撮影装置との間の処理手順の他の例を説明するフロー図である。
【００４６】
最初に、サーバ１は、通信端末１００から位置情報を取得する（ステップＳ３１）。位置情報処理部３で取得した位置情報に基いて被撮影者Ｐの通信端末１００の位置を特定し（ステップＳ３２）、被撮影者Ｐの位置に対応する撮影装置１０を選択する（ステップＳ３３）。選択した撮影装置１０に撮影を実行させる撮影信号を送信する（ステップＳ３４）。
【００４７】
サーバ１は、通信端末１００から継続して位置情報を取得し、その位置情報に基いて、通信端末１００の位置が変更しているか否かを判別することができる。通信端末１００の位置が所定時間（例えば１５秒〜２０秒）変更していない場合は、該通信端末１００を所持する被撮影者Ｐが移動していないこと、つまり、同じ位置に停止していることを意味する。このため、サーバ１は、通信端末１００の位置が所定時間変更ない場合には、静止画（スチル撮影）を実行するように撮影信号の内容を更新することができる（ステップＳ３５）。この場合には、サーバ１は更新した撮影信号を撮影装置１０に送信する（ステップＳ３６）。位置情報が所定時間に変更した場合には、撮影信号を更新しない。
【００４８】
撮影装置１０は、撮影信号に応じて被撮影者Ｐの撮影を実行する。ここで、サーバ１から更新された撮影信号を受信した場合には、その更新された撮影信号に従って被撮影者Ｐの撮影を実行する（ステップＳ３７）。
【００４９】
また、撮影装置１０は、被撮影者Ｐの通信端末１００から音声を取得する（ステップＳ３８）。そして、撮影データ及び音声データを生成し、サーバ１に送信する（ステップＳ３９）。
【００５０】
図９は、撮影システムを用いて撮影を行う場合の、他の構成例を示す模式図である。
なお、この撮影システムの例では、被撮影者Ｐの通信端末１００からサーバ１が位置情報を受信し、該サーバが位置情報に基づいて被撮影者Ｐの位置を特定し、撮影装置１０を選択して、選択された撮影装置１０に撮影信号を送信する構成については、上述した処理手順と共通している。
【００５１】
撮影装置１０は、撮影時に、被撮影者Ｐの通信端末１００から取得した音声に基いて、音声の指示内容を認識する音声認識部１７を備えている。音声の指示内容としては、例えば、「ハイ、チーズ」や「撮影します」などの撮影するタイミングを指示するものである。こうすれば、被撮影者Ｐ側で所望のタイミングで撮影を実行することができる。
【００５２】
図１０は、撮影システムを用いて撮影を行う場合の、他の構成例を示す模式図である。
なお、この撮影システムの例では、被撮影者Ｐの通信端末１００からサーバ１が位置情報を受信し、該サーバが位置情報に基づいて被撮影者Ｐの位置を特定し、撮影装置１０を選択して、選択された撮影装置１０に撮影信号を送信する構成については、上述した構成例と共通している。
【００５３】
ここで、撮影エリアＡに被撮影者Ｐが複数存在している場合には、各被撮影者Ｐの所持する通信端末１００からそれぞれサーバ１に位置情報が送信される。サーバ１は、各位置情報に基いて被撮影者Ｐの位置をそれぞれ特定し、撮影装置１０を選択する。１つの撮影エリアＡの複数の被撮影者Ｐに対して単一の撮影装置１０が選択された場合に、複数の被撮影者Ｐ全員が撮影できるように、撮影装置１０には、撮影の範囲を変更するための画角調整部１６が備えられている。こうすれば、撮影エリアＡに被撮影者Ｐが複数存在している場合に、一部の被撮影者Ｐが撮影されないといったことを回避することができる。撮影装置１０は、画角調整部１６によって、例えば、被撮影者Ｐの顔部分のみを拡大して撮影することや被撮影者Ｐの全身が映るように撮影することができる。
【００５４】
撮影エリアＡに被撮影者Ｐが複数存在している場合に、該撮影エリアＡを撮影可能な複数の撮影装置１０によって撮影することもできる。この場合には、複数の撮影装置１０の少なくとも一部で画角調整部１６によって撮影の範囲を変更することで、撮影を行なうことができる。
【００５５】
撮影エリアＡに複数の被撮影者Ｐがグループとして存在している場合に、予め各被撮影者Ｐの登録情報を含むグループ情報としてサーバ１に記録されていてもよい。このとき、グループに含まれる複数の被撮影者Ｐのうちどの被撮影者Ｐを優先して撮影すべきか予め優先順位が設定されていてもよい。このようにグループ情報として被撮影者Ｐの登録情報を記録することで、撮影装置１０が他の単独の被撮影者Ｐや他のグループに含まれる被撮影者Ｐと区別して撮影を行なうことができる。
【００５６】
図１１は、撮影システムを用いて撮影を行う場合の、他の構成例を示す模式図である。
サーバ１には、予め登録された被撮影者Ｐの画像（以下、登録画像ともいう。）を記録させておくことができる。被撮影者Ｐの画像としては、例えば、顔画像や被撮影者Ｐの全身の画像である。サーバ１は、撮影装置１０に撮影信号とともにその登録画像を送信することができる。撮影装置１０は、撮影信号に応じて撮影を実行し、取得した画像において画像認識部１８で所定の画像を認識し、認識した画像と登録画像とを参照して被撮影者Ｐを特定することができる。また、複数の被撮影者Ｐが同じ撮影エリアＡに存在し、一部の被撮影者Ｐのみを撮影の対象とする場合には、画像認識部１８によって一部の被撮影者Ｐを特定し、画角調整部１６によって画角を適宜調整し、特定された被撮影者Ｐのみを撮影することができる。
【００５７】
さらに、画像認識部１８が人物の顔画像を認識可能であって、１つの画像中に複数の顔画像を認識し、顔画像同士の距離が閾値以下まで接近したときに、撮影を実行してもよい。
【００５８】
図１２は、撮影システムを用いて撮影を行う場合の、他の構成例を示す模式図である。同じ撮影エリアＡを撮影可能な複数の撮影装置を用いて、該撮影エリアの一人の被撮影者Ｐを撮影することもできる。この場合には、各撮影装置１０が、同じ撮影エリアＡを撮影可能な他の撮影装置と協働して撮影を行なう。
【００５９】
図１３は、複数の撮影装置で撮影した場合の撮影データの例を示す図である。
図１３（ａ）に示すように、複数の撮影装置で撮影した画像Ａ，画像Ｂを合成することで３Ｄ画像を生成することができる。このとき、複数の撮影装置それぞれで撮影した撮影データを、該複数の撮影装置の相互間で通信部を介して送受信させ、複数の撮影装置の少なくとも１つで、複数の画像を合成すればよい。なお、各撮影装置で生成された撮影データをサーバ１に送信した後、サーバ１で複数の画像を合成してもよい。
【００６０】
図１３（ｂ）に示すように、複数の撮影装置１０で撮影した画像Ａと画像Ｂとからなる、広い画角のパノラマ画像を生成することができる。こうすれば、単体の撮影装置１０の画角の限界を超える広い画角で撮影を行なうことができる。
【００６１】
図１３（ｃ）に示すように、各撮影装置１０で、異なる画角で被撮影者Ｐ及びその背景を撮影することができる。例えば、一の撮影装置１０によって被撮影者Ｐの上半身を中心とした画角で撮影し、他の撮影装置１０によって被撮影者Ｐとその背景を広い画角で撮影することができる。こうすれば、同時の撮影によって異なる画角の撮影を行なうことができる。または、一の撮影装置１０によって被撮影者Ｐのみを撮影し、他の撮影装置１０によって被撮影者Ｐの背景のみを撮影することができる。なお、各撮影装置１０の画角の調整は、既に述べた画角調整部１６によって設定することができる。
【００６２】
複数の撮影装置１０によって撮影を行なう場合には、各撮影装置１０が通信端末１００から音声を取得し、音声データを生成してもよい。または、各画像に共通の音声データを関連付けることができる。このとき、複数の撮影装置１０の少なくとも一部が通信端末１００から音声を取得し、音声データを生成し、同時に撮影を行った他の撮影装置１０と通信部を介して共有してもよい。または、複数の撮影装置１０によって撮影を行なう場合に、サーバ１が、同時に撮影を行った各撮影装置１０の撮影データそれぞれと、音声データとを関連付けて記録してもよい。
【００６３】
また、複数の撮影装置１０によって撮影することで、図１３の例に限らず、異なる画角で撮影した動画を得ることもできる。または、撮影装置ごとに撮影時間をずらすことで時差のあるスチル撮影等を行なうことができる。
【００６４】
複数の撮影装置１０で撮影を行なうか否かの設定は、撮影装置１０から通信端末１００へ通知し、被撮影者Ｐの指示に応じて決定されてもよい。このとき、被撮影者Ｐが、任意の撮影装置１０による撮影を実行するように通信端末１００から指示を入力することで、指示された撮影装置１０によって撮影が実行される。
【００６５】
上記の撮影システムによれば、観光地等においてカメラ等を携行していない場合でも、一人又は団体で記念撮影を行なうことができる。また、撮影した撮影データ及び音声データが互いに関連付けされて記録されているため、通信端末又は別の端末を使用して視聴し、購入を申し込むこともできる。例えば、全ての撮影が終了した後で、サーバに接続して、記録されている撮影データ及び音声データを視聴し、所望の該撮影データを必要枚数に応じてプリントすることや、所望の撮影データ及び音声データを他の記録媒体にコピー又はダウンロードすることができる。
【００６６】
通信端末１００としては、被撮影者に携帯可能な構成であって、ＧＰＳ機能によって位置情報を生成し、サーバ及び撮影装置と通信可能な構成であれば、上気した構成のものに限定されない。例えば、通信端末１００としては、携帯電話やＰＤＡ（Personal Digital Assistants）を用いてもよい。
【産業上の利用可能性】
【００６７】
上記の撮影システムを用いれば、ある地域に点在する観光ポイントを使用者が巡行する際に、該使用者が予め登録した通信端末を所持することで、各観光ポイントに備え付けられた撮影装置によって撮影を行なうことができ、また、撮影時の音声データも記録することができる。また、観光者が、ネットワークを介して自身の撮影データ及び音声データを視聴することができるようにしてもよい。こうすることで、観光者自身がカメラ等の撮影装置を携行して各観光ポイントで撮影を行う必要がなく、撮影したデータを記録及び整理するといった手間を省くことができる。
【００６８】
上記の撮影システムを用いれば、テーマパーク内のアトラクション施設に点在する撮影ポイントを参加者が巡行する際に、該参加者が予め登録した通信端末を所持することで、各撮影ポイントで撮影装置によって撮影を行なうことができ、また、撮影時の音声データも記録することができる。そして、アトラクション施設の出入口で、自身が撮影された撮影データ及び音声データの視聴や購入が可能である。
【００６９】
記録制御部１６が、被撮影者に所持される通信端末１００から位置情報を取得するとともに、該位置情報を取得するのと同期して該通信端末１００から音声データを取得するように制御する構成とすることができる。例えば、被撮影者がＴＶカメラに撮影されるＴＶアナウンサである場合には、ＴＶアナウンサが所持する通信端末によって位置情報を取得し、また、該通信端末に備えられた音声取得部によって音声データを取得することができる。そして、撮影装置は、通信端末から位置情報と音声データを取得することで、人間がＴＶカメラを操作することなく、撮影装置によってＴＶアナウンサを自動的に追尾して撮影を実行することができる。
【００７０】
撮影装置１０は、被撮影者から取得する位置情報に応じて、撮影エリア内において画角を適宜変更できるように構成されていてもよい。このとき、撮影装置１０の一部を移動制御することで、撮影方向を被撮影者のいる側へ自動的に追尾させてもよい。このとき、撮影装置１０は、制御信号を受信することによって遠隔的に制御可能としてもよい。
【００７１】
図１４は、上記撮影システムを用いた撮影の一例を説明する図である。
撮影エリアＡに被撮影者Ｐが位置していると判断された場合に、地面や床などに設けられた発光部等を用いて被撮影者Ｐに撮像装置１０の位置を視覚的に通知することで、被撮影者Ｐが撮影に好ましい位置に立つことを促すための撮影推奨位置が撮影エリアＡ内に設置されていてもよい。図１５は、撮影推奨位置の表示の一例を示す図である。撮影推奨位置は、例えば、図１５（ａ）に示すように撮影エリア内において撮影装置１０によるベストショットが可能な場所の地面などに表示された人の足跡を模した表示部とすることができる。また、図１５（ｂ）に示すように、矢印を模った表示部とすることができる。このとき、足跡の向きや矢印の向きを撮像装置１０のある方向にそろえることで、被撮影者Ｐが足跡や矢印を目印にして立つことで自然に撮像装置１０の方向に向くように促すことができる。足跡や矢印の表示部はそれぞれＬＥＤなどの発光部とすることができる。表示部は、上述のような足跡や矢印に限らず、撮影に好ましい位置を示す撮影推奨位置を視覚的に表示することができれば適宜変形可能である。さらに、被撮影者Ｐが複数いることを想定して、撮影装置１０の撮影方向に対して略垂直方向に延設されたラインとしてもよい。こうすれば、複数の被撮影者Ｐがラインに従って並んで撮影を行なうことで、撮影装置１０に対して適切な画角で撮影されることができる。撮像装置１０は、撮影推奨位置の表示する上記表示部の制御を行なう表示制御部を備えていてもよい。この表示制御部は、撮影エリアＡに被撮影者Ｐが存在することを検知したときに、撮影推奨位置の表示部に制御信号を送信して該表示手段の表示を実行することができる。表示部は、例えば、ＬＥＤ等の発光部を地面に埋設することによって構成され、被撮影者が近づいたときに点滅してもよい。そして、表示部が発光した状態で矢印などの視覚にうったえる形状を表示させることで、被撮影者は撮影装置１０の存在とその位置を視認することができる。
【００７２】
上記撮影推奨位置と撮影支援標識部は互いに連動可能な構成とすることができる。例えば、被撮影者が撮影推奨位置又はその近くに位置する場合に、該撮影推奨位置からの信号に従って撮影支援標識部が起動してもよい。また、撮影推奨位置及び撮影支援標識部が、被撮影者の所持する通信端末１００や撮影装置１０側と情報通信可能であってもよい。
【００７３】
本発明は、以下の構成を含む。
（１）所定の撮影エリアを撮影可能な撮影装置であって、
前記撮影エリアに被撮影者が存在するときに、前記被撮影者を撮影するための撮影信号を受信する通信手段と、
前記撮影信号に含まれる位置情報に応じて前記撮影エリアにいる前記被撮影者を特定し、撮影を実行する撮影部と、
前記撮影部の撮影に基いて撮影データを生成する撮影データ生成手段と、
前記被撮影者側から音声を取得し、音声データを生成する音声データ生成手段と、
前記撮影データと前記音声データとを関連付けて記録するように指示する記録制御手段と、を備えた撮影装置。
（２）上記（１）に記載の撮影装置であって、
撮影を実行する前に、前記被撮影者側に撮影内容に関する撮影情報を送信する撮影案内手段を備えた撮影装置。
（３）上記（１）又は（２）に記載の撮影装置であって、
前記通信手段が、前記撮影信号の送信側に前記撮影データと前記音声データを送信する撮影装置。
（４）上記（１）から（３）のいずれか１つに記載の撮影装置であって、
前記通信手段が、前記撮影データの少なくとも一部を前記被撮影者側に送信する撮影装置。
（５）上記（１）から（４）のいずれか１つに記載の撮影装置であって、
前記通信手段が、前記撮影信号を受信した後、前記被撮影者が前記撮影エリアで停止している場合に、更新された撮影信号を受信し、前記撮影部によって静止画の撮影を実行する撮影装置。
（６）上記（１）から（５）のいずれか１つに記載の撮影装置であって、
前記被撮影者側から取得した音声に基いて指示内容を認識する音声認識部を備え、認識した前記指示内容に基いて撮影を実行する撮影装置。
（７）上記（１）から（６）のいずれか１つに記載の撮影装置であって、
撮影の範囲を変更するために画角を調整する画角調整部を備えている撮影装置。
（８）上記（７）に記載の撮影装置であって、
前記撮影信号に、前記撮影エリアに複数の被撮影者が存在する情報が含まれている場合に、前記画角調整部が画角を調整する撮影装置。
（９）上記（１）から（８）のいずれか１つに記載の撮影装置であって、
予め登録された前記被撮影者の登録情報を読み込み、前記登録情報と前記撮影部によって取得した画像とを比較し、前記被撮影者の画像を認識する画像認識手段を備える撮影装置。
（１０）上記（９）に記載の撮影装置であって、
前記画像認識手段が人物の顔画像を認識可能であって、複数の前記顔画像を認識したときに前記顔画像同士の距離が閾値以下まで接近した場合に、撮影を実行する撮影装置。
（１１）上記（１）から（１０）のいずれか１つに記載の撮影装置であって、
前記撮影エリアを撮影可能な他の撮影装置と協働して撮影を行なう撮影装置。
（１２）上記（１）から（１０）のいずれか１つに記載の撮影装置であって、
前記記録制御手段が、前記被撮影者に所持される通信端末から前記位置情報を取得するとともに、該位置情報を取得するのと同期して該通信端末から前記音声データを取得するように制御する撮影装置。
（１３）上記（１）から（１０）のいずれか１つに記載の撮影装置であって、
前記位置情報及び前記音声データが前記被撮影者に所持されている携帯電話から入力された情報である撮影装置。
（１４）上記（１）から（１３）のいずれか１つに記載の撮像装置であって、
撮影に好ましい位置を示す撮影推奨位置を視覚的に表示する表示部の制御を行なう表示制御部を備えている撮像装置。
（１５）上記（１４）に記載の撮像装置であって、
前記撮影推奨位置が、人の足跡を模した表示又は矢印であって、撮像装置のある方向を向いている撮像装置。
（１６）上記（１）から（１５）のいずれか１つに記載の撮影装置と通信接続可能な通信端末であって、
前記位置情報を、前記撮影装置と通信接続可能なサーバに送信する通信手段と、
前記撮影装置による撮影時に周囲の音声を取得する音声取得手段と、
前記音声を前記撮影装置に送信する通信端末。
（１７）上記（１６）に記載の通信端末であって、
前記撮影装置から受信した前記撮影データの少なくとも一部を表示する表示部を備える通信端末。
（１８）上記（１６）又は（１７）に記載の通信端末であって、
前記撮影装置からの指示に応じて、被撮影者に音で撮影の通知を行なうアナウンス部を備える通信端末。
（１９）上記（１）から（１５）のいずれか１つに記載の撮影装置と通信接続可能なサーバであって、
前記撮影エリアに前記被撮影者が存在する場合に、前記被撮影者側から受信した位置情報に基いて、前記被撮影者が存在する撮影エリアを特定する位置情報処理手段と、
前記被撮影者が存在する前記撮影エリアを撮影可能な前記撮影装置に撮影信号を送信する通信部と、
前記撮影装置から送信される前記撮影データ及び前記音声データを関連付けて記録可能なデータ記録手段と、を備えるサーバ。
（２０）所定の撮影エリアを撮影可能な撮影装置によって撮影を行う撮影方法であって、
前記撮影エリアに被撮影者が存在するときに、前記被撮影者を撮影するための撮影信号を受信するステップと、
前記撮影信号に含まれる位置情報に応じて前記撮影エリアにいる前記被撮影者を特定し、撮影を実行するステップと、
前記撮影部の撮影に基いて撮影データを生成するステップと、
前記被撮影者側から音声を取得し、音声データを生成するステップ、
前記撮影データと前記音声データとを関連付けて記録するように指示するステップと、を備えた撮影方法。
（２１）上記（１）から（１５）のいずれか１つに記載の撮影装置と通信接続を行なう通信方法であって、
前記撮影エリアに前記被撮影者が存在する場合に、前記被撮影者側から受信した位置情報に基いて、前記被撮影者が存在する撮影エリアを特定するステップと、
前記被撮影者が存在する前記撮影エリアを撮影可能な前記撮影装置に撮影信号を送信するステップと、
前記撮影装置から送信される前記撮影データ及び前記音声データを関連付けて記録するステップと、を有する通信方法。
【図面の簡単な説明】
【００７４】
【図１】本発明の一実施形態を説明するための撮影システムの概念図である。
【図２】サーバに複数の撮影装置が通信接続された状態を示す概略図である。
【図３】撮影システムの構成の一例を示すブロック図である。
【図４】通信端末の一例を示す外観図である。
【図５】撮影システムを用いて撮影を行なう場合の、サーバと撮影装置との間の基本的な処理手順を説明するフロー図である。
【図６】撮影システムを用いて撮影を行なう場合の、撮影装置と通信端末との間の処理手順の他の例を説明するフロー図である。
【図７】撮影データ及び音声データのデータ構造を説明する図である。
【図８】撮影システムを用いて撮影を行なう場合の、サーバと撮影装置との間の処理手順の他の例を説明するフロー図である。
【図９】撮影システムを用いて撮影を行う場合の、他の構成例を示す模式図である。
【図１０】撮影システムを用いて撮影を行う場合の、他の構成例を示す模式図である。
【図１１】撮影システムを用いて撮影を行う場合の、他の構成例を示す模式図である。
【図１２】撮影システムを用いて撮影を行う場合の、他の構成例を示す模式図である。
【図１３】複数の撮影装置で撮影した場合の撮影データの例を示す図である。
【図１４】撮影システムを用いて撮影を行う場合の、他の構成例を示す模式図である。
【図１５】撮影推奨位置の表示の一例を示す図である。
【符号の説明】
【００７５】
１    サーバ
３    位置情報処理部
５    データ記録部
１０  撮影装置
１２  通信部
１３  撮影部
１４  撮影データ生成部
１５  音声データ生成部
１６  記録制御部
１００  通信端末
１０４  音声取得部
Ａ    撮影エリア
【図１】
2010135983.tif 000003
【図２】
2010135983.tif 000004
【図３】
2010135983.tif 000005
【図４】
2010135983.tif 000006
【図５】
2010135983.tif 000007
【図６】
2010135983.tif 000008
【図７】
2010135983.tif 000009
【図８】
2010135983.tif 000010
【図９】
2010135983.tif 000011
【図１０】
2010135983.tif 000012
【図１１】
2010135983.tif 000013
【図１２】
2010135983.tif 000014
【図１３】
2010135983.tif 000015
【図１４】
2010135983.tif 000016
【図１５】
2010135983.tif 000017